(57)【特許請求の範囲】
【請求項１】
天井３又は内壁面１４，１５に１対の支持部材４，５を固着し、該支持部材４，５に内蔵されたフック１６、該フック１６と共に支持部材４，５に併設されたプッシュボタン２０からなり、前記プッシュボタン２０を押すことでフック１６が部屋内側に突出し、該突出したフック１６に吊掛棒６，７をそれぞれ懸架して、該吊掛棒６，７に物干し竿８を装架することを特徴とする室内用物干し具。
【請求項２】
天井３に１個又は複数個の支持部材４（５・・・）を固着し、該支持部材４にそれぞれ内蔵されたフック１６、該フック１６と共に支持部材４に併設されたプッシュボタン２０からなり、前記プッシュボタン２０を押すことでフック１６が部屋内側に突出し、該突出したフック１６に吊掛棒６を懸架して、該吊掛棒６を介してドライハンガーを吊架したことを特徴とする室内用物干し具。
【請求項３】
天井３又は内壁面１４，１５に固着される支持部材４（５）は、キックバネ２５の働きにより常に部屋内側に突出するよう加圧されているフック１６、及び圧縮スプリング２７にて前記フック端部を押圧している係止片２６、該係止片２６の働きを開放するプッシュボタン２０からなる請求項１又は請求項２記載の室内用物干し具。
【請求項４】
天井３又は壁面１４，１５に固着される支持部材４（５）は、キックバネ２５の働きにより常に部屋内側に突出するよう加圧されているリング１８、及び引っ張りスプリング３７にて前記リング１８端部を押圧している係止片２６，該係止片２６の働きを開放するプッシュボタン２０からなる請求項１又は請求項２記載の室内用物干し具。
【請求項５】
支持部材４（５）より突出したフック１６又はリング１８に着脱自在に懸架される吊掛棒６は伸縮自在であり、該吊掛棒６にて天井に固着された前記支持部材４（５）のフック１６又はリング１８を突出並びに収納操作することを特徴とする請求項１又は請求項２記載の室内用物干し具。
【請求項６】
前記物干し竿８に替えて、物干し紐８’を用いることを特徴とする請求項１記載の室内物干し具。
【請求項７】
前記支持部材４（５）と天井３又は壁面１４，１５との固着を、予め設計された耐重量により、ビスあるいは接着等、任意な手段によることを特徴とする請求項１乃至請求項４記載の室内用物干し具。
【発明の詳細な説明】
【０００１】
【発明の属する技術分野】
本発明は、室内の天井から懸架したり、室内の対向する壁面間に干し竿や干し紐を装架できる室内用物干し具に関するものであり、該物干し具は必要時には簡単且つ容易に設置可能で、使用後はできるだけ目立たなく片づけることができる室内用物干し具を提供するものである。
【０００２】
【従来の技術】
室内の天井に支持具を固着し、該支持具に吊掛具を着脱自在に係合、懸架することにより物干し具や観葉植物や絵画等を吊り下げて使用する吊掛装置が特開平６−１２１７２５号に提案されている。
【０００３】
特開平６−１２１７２５号においては、支持具と吊掛具から成る吊掛装置であって、支持具は、挿入孔を設けた基体の中に可動の抜止具と、係合部を設けた伝達具とを有し、該抜止具は、伝達具によって動かされて挿入孔の一部を閉塞する閉塞部を有して成り、吊掛具は、引掛部を設けると共に、一端部部に、挿入孔から挿入可能な挿入部を設け、該挿入部には、伝達具の係合部に係合させて回動することによって伝達具を動かすことができる駆動部を設けて成り、吊掛具の駆動部が伝達具を介して抜止具を動かして挿入孔の一部を閉塞することによって挿入部を抜け止めし、吊掛具を支持具に支持できるようにして成るか、あるいは、支持具と吊掛具から成る吊掛装置にあって、支持具は、挿入孔を設けた基体の中に可動の抜止具を有し、該抜止具は係合部を有すると共に動くことによって挿入孔の一部を閉塞する閉塞部を有して成り、吊掛具は、引掛部を設けると共に、一端部に、挿入孔から挿入可能な挿入部を設け、該挿入部には、抜止具の係合部に係合させて回動することによって抜止具を動かすことができる駆動部を設けて成り、吊掛具の駆動部が抜止具を動かして挿入孔の一部を閉塞することによって挿入部を抜け止めし、吊掛具を支持具に支持できるようにして成るものである。
【０００４】
斯くして、上述の従来装置にあっては、天井に固着される支持具と吊掛具との着脱構造が複雑で、部品数が多いため、製作コストが掛かり高価な装置に成ってしまう。また、室内に設置される物干し具は、にわか雨や梅雨時等に臨時の洗濯物干場を提供する意味合いが大きく、子供からお年寄りまで、必要時には簡単且つ容易に設置可能で、使用後は、できるだけ目立たなく片づけることができる室内用物干し具が要望されている。
【０００５】
【発明が解決しようとする課題】
本発明は上述の点に鑑みてなされたもので、より簡単な機構で壊れにくく、安価で、必要時には簡単且つ容易に設置可能で、使用後は、できるだけ目立たなく片づけることのできる室内用物干し具を提供することを目的としている。
【０００６】
【課題を解決するための手段】
上記の目的を達成するために、本発明の室内用物干し具においては、天井又は内壁面に一対の支持部材を各々ビス等にて固着する。該支持部材にはフック又はリングが内蔵されており、該フック又はリングは支持部材に併設されたプッシュボタンを押すことで部屋内側に突出し、該フック又はリングに吊掛棒をそれぞれ懸架して、該吊掛棒間に物干し竿又は物干し紐を装架できる。
【０００７】
尚、前記吊掛棒は伸縮自在で長さが調整でき、長さを調整することで物干し竿の高さを可変できる他、前記天井に取付られた高い位置にある支持部材のプッシュボタンを押してフック又はリングを部屋内側に突出させたり、該突出したフック又はリングを支持部材内に収納することができる構成としている。
【０００８】
また本発明の室内用物干し具おいては、天井に一個又は複数個の支持部材をビス等にて固着する。前記支持部材にはフック又はリングが内蔵されており、該フック又はリングは支持部材に併設されたプッシュボタンを押すことで部屋内側に突出し、該フック又はリングに吊掛棒を懸架して、該吊掛棒下端部に洗濯バサミが複数個並設されているドライハンガーを懸装できる。
【０００９】
尚、前記吊掛棒は前述の実施例と同様長さが可変可能で、フック又はリングを突出させたり、該フック又はリングの収納作業に用いられる。更に本発明の支持部材は室内の対向する壁面に一対設けることにより、該支持部材に内蔵されたフック又はリングを介して両支持部材間に物干し竿や物干し紐を装架できる。対向する壁面間に装架する物干し竿や物干し紐の両端部はフックに係合するリングやリングに係合するフックを設ければよい。
【００１０】
【発明の実施の形態及び実施例】
発明の実施の形態を図１乃至図３に基づき使用実施例から説明する。
図１は本発明の第一の使用の形態を示す説明図であり、１は天井スラブ、２はスラブ下に懸装された木軸等からなる天井下地材、３は天井下地材に装着された天井、４，５はフック１６又はリング１８が内蔵された支持部材、６，７は支持部材に着脱自在に懸装された伸縮自在の吊掛棒、８は物干し竿、９は床をそれぞれ示している。
【００１１】
前記支持部材４，５は天井３を介して天井下地材２内に縛着等にて構成される補強用裏打ち材１０，１１にそれぞれビスあるいは接着等（図示せず）により固着されている。
【００１２】
斯くして本実施例においては、天井３に固着された一対の支持部材４，５にはそれぞれ吊掛棒６，７が着脱自在に懸装されているので、前記吊掛棒６，７と物干し竿８は不要時には、支持部材４，５から取り外し片づけることができ、この場合天井３には支持部材４，５が残るのみで、室内空間は本来の使用目的に沿った快適感が維持できる。
【００１３】
図２は図１と同様本発明の第二の実施例を示す説明図であって、同一符号は同一構成要素を示す。
図２において、フック１６又はリング１８の内蔵された支持部材４は天井３を介して天井下地材２内に構成される補強用裏打ち材１０にビス等（図示せず）により固着されており、該支持部材４（５・・・）には伸縮自在の吊掛棒６が着脱自在に懸装されていて、該吊掛棒６を介して洗濯バサミ１２，１２，１２・・・が複数個並設されているドライハンガー１３を懸装している。
【００１４】
図２の実施例は以上説明の通り、使用する物干しの形態が図１の物干し竿８の様に一対の支持部材４，５を使用するのに対して、ドライハンガー１３を単独に、即ち、一対としてではなく使用するものであって、支持部材４が一個でも又複数でも良いこと勿論である。
【００１５】
また、図３の実施例はフック１６又はリング１８を内蔵する支持部材４，５を互いに対向する壁面１４，１５に取り付けたもので、対向する壁面１４，１５間には支持部材４，５を介して物干し竿８又は物干し紐８’が装架できる。
図３の（ａ）は壁面１５に固着されたフック１６内蔵の支持部材４（５）からフック１６を部屋内側に突出せしめ、該フック１６に物干し竿８端部に設けた物干し竿保持リング１７を係合することにより、洗濯ものを干すことができるもので、物干し竿８が物干し紐８’に変わった場合においても、物干し紐８’端部に該リング１７を設ければ、同様の構成が得られる。
【００１６】
また、図３の（ｂ）は壁面１５に固着されたリング１８内蔵の支持部材４（５）からリング１８を部屋内側に突出せしめ、該リング１８に物干し竿８又は物干し紐８’端部に設けたフック１９を係合することにより、洗濯物を干すことができるものである。
尚、図３（ａ）及び（ｂ）の実施例に使用される支持部材４及び５の構成は図７、図１６にて詳説する。
【００１７】
図１及び図３にて説明したフック１６又はリング１８内蔵の支持部材４，５の取付位置、即ち天井下地材２内に構成される補強用裏打ち材１０，１１は予め計画された位置に十分に耐重量を考慮して設け、施工者が支持部材４，５まで取り付けてしまうことや、前記補強用裏打ち材１０，１１を大きな部材として作り、該補強用裏打ち材１０，１１の範囲を施工者が表示しておき、後日、居住者が表示範囲内にて任意に本発明の室内用物干し具を設置できるほか、居住者が耐重量を考慮して室内の任意場所にビスあるいは接着等にて簡単に取り付けられことは、言うまでもない。
【００１８】
而して、図４乃至図１０は本発明の主構成要素となるフック１６内蔵の支持部材４、５及び吊掛棒６，７を説明するもので、図４は支持部材４（５）の見上げ図、図５は側面図をそれぞれ示しており、図において、４（５）はフック内蔵の支持部材、１６は支持部材４（５）より突出または収納可能なフック、２０はフック操作用のプッシュボタン、２１は化粧カバーを示している。
【００１９】
図５においては、プッシュボタン２０の操作（押圧）によりフック１６が部屋内側に突出した状態を示しており、該フック１６には物干し竿８、物干し紐８’やドライハンガー１３を吊掛するための吊掛棒６が懸装されている。
【００２０】
図６は、図４の化粧カバー２１を外した状態を示し、図７及び図８は、特にフック１６の駆動状況を示している。図において２２は支持部材４（５）のベースプレートであり、該ベースプレート２２はビス２３にて前記天井３に固着されている。フック１６はベースプレート２２上で支持された支持軸２４にて回動可能に保持され、キックバネ２５の働きにより常に部屋内側に突出するよう加圧されている。
【００２１】
またフック１６には、支持軸２４と対向して、フック係止片２６が係合しており、通常時は、前記フック係合片２６がスプリング２７にて押圧されており、フック１６の頭部を固定し、フック内蔵の支持部材４内に図７の（Ａ）の如くに、フック１６を納めている。更に図７における符号６はフック１６に懸架した吊掛棒を示しており、該吊掛棒６を介して図１，図２、図３のような使用実施例が実現できる。
【００２２】
斯くして、図８は前述の伸縮自在な吊掛棒６にて支持部材４（５）のプッシュボタン２０を押すことにより、常にスプリング２７にてフック１６端部を押圧していたフック係止片２６がフック１６の開放側に摺動してフック１６の係止を開放するのであり、フック１６は図８の（Ｂ）の如く部屋内側に突出し、図７の如く吊掛棒６を着脱自在に懸架できる。
【００２３】
図９は前記フック１６に着脱自在に懸架される吊掛棒６の説明図であり、図１０は図９の要部拡大断面図である。
図９及び図１０において、６は吊掛棒、該吊掛棒６の上端部にはフック１６に懸架可能な係合リング２８、他端には物干し竿８、物干し紐８’又はドライハンガー１３の保持リング２９が設けてある。尚、３０は前記係合リング２８上端部に設けたプッシュボタン２０を操作するための突起である。
【００２４】
吊掛棒６本体は本例では少なくても、３個の棒材３１，３２，３３からなり、該棒材３１，３２，３３は少しずつ外径が大きくなり、例えば、棒材３１は棒材３２内径部にスライドして内蔵され、また棒材３１を内蔵した棒材３２は棒材３３の内径部にスライドして内蔵される。従って吊掛棒６は部品の棒材３１，３２，３３部分で長さが収縮自在であり、図１０の圧縮スプリング３４と突部３５からなる係止部３６にて調整した長さを固定できる。
【００２５】
上述のように吊掛棒６は少なくとも、三段階にその長さが可変でき、干し竿８やドライハンガー１３等の保持高さを調節できるほか、天井３の高い位置に固着される支持部材４（５）のプッシュボタン２０を押したり、突出したフック１６をフック内蔵支持部材４（５）内に収納する時に使用され、該吊掛棒６は最大長さに可変すると、子供や車椅子利用者であっても、フック１６の出し入れが簡単に行える。
【００２６】
而して、本発明は必要時には簡単且つ容易に設置可能で、使用後はできるだけ目立たなく片づけることができる室内用物干し具を提供することができた。
また本発明においては、天井３に常時固着されている支持部材４（５）はそのシンプルな機能とデザイン性が重要であることから、図１１乃至図１６にて支持部材４（５）の他の実施例を以下説明する。
【００２７】
図１１乃至図１６は天井または壁面に固着されるリング１８を内蔵した形の支持部材４（５）の実施例を示す説明説明図であり、図１１は見上げ図、図１２は側面図、図１３は化粧カバー２１を外した状態の見上げ図、図１４は側断面図、図１５及び図１６は駆動説明図をそれぞれ示している。
【００２８】
上記図面において、４（５）は支持部材、１８は前記支持部材４（５）に内蔵されプッシュボタン２０の操作にて部屋内側に突出するリング、２４はリング１８の支持軸、２１は化粧カバーをそれぞれ示している。
【００２９】
図１３、図１４において、２２はリング１８を内蔵する支持部材４（５）のベースプレートであって、該ベースプレート２２はビス２３にて天井または壁面に固着されている。リング１８は該ベースプレート２２上で支持された支持軸２４にて回転可能に保持され、キックバネ２５の働きにより常に部屋内側に突出するよう加圧されている。
尚、図１４はリング１８が室内側に突出している状態を示している。
【００３０】
次に図１５及び図１６は本実施例の駆動説明図であり、キックバネ２５の働きにより常に部屋内側に突出するよう加圧されているリング１８にはリング係止片２６が係合しており、通常時は、前記リング係合片２６が引っ張りスプリング３７の働きで押圧されリング１８を狭持しており、図１５の如く支持部材４（５）内にリング１８を納めている。
【００３１】
また、図１６における６は、リング１８に係合した吊掛棒を示しており、該吊掛棒６を介して図１，図２，図３のような使用実施例が実現できる他、前記吊掛棒６は、その先端に、リング１８係合用のフック３７を有し、該上部にはプッシュボタン２０の操作用突起３０が設けられており、第１の実施例と同様、収縮自在の構成を有していて、リング１８の突出、収納操作を行える。
【００３２】
尚、本発明技術は必要に応じては壁部外面に適用することも可能なことは勿論である。
【００３３】
【発明の効果】
本発明は、天井に一対の支持部材を固着し、該支持部材にはフック又はリングが内蔵されており、該フック又はリングは支持部材に併設されたプッシュボタンを伸自在な吊掛棒にて押すことで部屋内側に突出し、該フック又はリングに前記吊掛棒をそれぞれ懸架して、該吊掛棒間に物干し竿や物干し紐を装架できると共に、使用後は物干し竿等を取り外し、前記フック又はリングの突出を吊掛棒にて押圧して支持部材内に収納し目立たなくさせ得る。
【００３４】
また、本発明は天井に一個又は複数個の支持部材を固着し、該支持部材にはフック又はリングが内蔵されており、該フック又はリングは支持部材に併設されたプッシュボタンを押すことで部屋内側に突出し、該フック又はリングに吊掛棒を懸架した後、該吊掛棒下端部に洗濯バサミが複数個並設されているドライハンガーを懸装できると共に、使用後はドライハンガーを取り外し、フック又はリングの突出を吊掛棒にて押圧して支持部材内に収納できる。
【００３５】
更に、本発明の支持部材は室内の対向する壁面に一対設けることにより、該支持部材に内蔵されたフック又はリングを介して両支持部材間に物干し竿や、物干し紐を装架できる。
【００３６】
斯くして本発明は上述のように天井又は壁面に固着される支持部材の構成が簡単で、組立部品数も少ないため安価で壊れにくい製品が提供できる。また、本発明は子供、お年寄り並びに車椅子利用者まで、必要時には簡単且つ容易に設置可能で、使用後は目立たなく、設置部屋の本来の使用目的を何ら阻害しない室内用物干し具を提供することができた。
【図面の簡単な説明】
【図１】本発明の室内用物干し具使用の第一例を示す説明図である。
【図２】本発明の室内用物干し具使用の第二例を示す説明図である。
【図３】本発明の室内用物干し具使用手順例の説明図である。
【図４】本発明の支持部材を示す外観図である。
【図５】本発明の支持部材を示す側面図である。
【図６】本発明の支持部材説明図である。
【図７】本発明の支持部材駆動説明図である。
【図８】本発明の支持部材駆動説明図である。
【図９】本発明の吊掛棒説明図である。
【図１０】図９の要部拡大断面図である。
【図１１】本発明の他の実施例説明図である。
【図１２】図１１の側面図である。
【図１３】図１１の内部説明図である。
【図１４】図１１の駆動説明図である。
【図１５】図１１の駆動説明図である。
【図１６】図１１の駆動説明図である。
【符号の説明】
１  天井スラブ
２  天井下地材
３  天井
４、５  支持部材
６，７  吊掛棒
８  物干し竿
８’物干し紐
９  床
１０、１１  補強用裏打ち材
１２  洗濯バサミ
１３  ドライハンガー
１４，１５  壁面
１６  フック
１７  物干し竿保持リング
１８  リング
１９  物干し竿端部フック
２０  プッシュボタン
２１  化粧カバー
２２  ベースプレート
２３  ビス
２４  支持軸
２５  キックバネ
２６  フック係止片
２７  スプリング
２８  係合リング
２９  保持リング
３０  プッシュボタン操作突起
３１，３２，３３  棒材
３４  圧縮スプリング
３５  突起
３６  係止部
【図１】
0003594085.tif 000002
【図２】
0003594085.tif 000003
【図３】
0003594085.tif 000004
【図４】
0003594085.tif 000005
【図５】
0003594085.tif 000006
【図６】
0003594085.tif 000007
【図７】
0003594085.tif 000008
【図８】
0003594085.tif 000009
【図９】
0003594085.tif 000010
【図１０】
0003594085.tif 000011
【図１１】
0003594085.tif 000012
【図１２】
0003594085.tif 000013
【図１３】
0003594085.tif 000014
【図１４】
0003594085.tif 000015
【図１５】
0003594085.tif 000016
【図１６】
0003594085.tif 000017